【手続補正書】
【提出日】平成15年9月4日(2003.9.4)
【手続補正１】
【補正対象書類名】明細書
【補正対象項目名】特許請求の範囲
【補正方法】変更
【補正の内容】
【特許請求の範囲】
【請求項１】
表示状態が変化可能な複数の可変表示部を表示する可変表示装置を有し、前記複数の可変表示部を可変表示した後に該複数の可変表示部に確定表示された表示結果が予め定められた特定の表示態様になったときに、遊技者にとって有利な状態に制御可能な遊技機であって、
前記遊技機の遊技状態を制御するとともに、前記可変表示装置における表示を制御するために用いられる指令情報として、少なくとも前記複数の可変表示部の各々の表示結果を特定するための各可変表示部に対応した複数の表示結果情報と、前記複数の可変表示部の表示結果を確定表示させるタイミングを示す確定表示情報と、可変表示制御時間および可変表示パターンを示す可変表示パターン情報とを出力する遊技制御手段と、
該遊技制御手段から出力された前記指令情報を受けて前記可変表示装置を可変開始させた後表示結果を確定表示する制御を行なうとともに、前記確定表示情報を受信したことに応じて、前記複数の表示結果情報により特定された前記複数の可変表示部の表示結果を確定表示させる制御を行なう可変表示制御手段とを含み、
前記遊技制御手段は、前記可変表示装置を可変開始させるときに前記可変表示パターン情報を出力し、
前記可変表示制御手段は、
前記可変表示パターン情報により示された可変表示パターンにしたがったパターンで前記可変表示装置の表示を制御し、
前記表示結果情報により特定された表示結果を確定表示させる予定の確定予定タイミングを、前記可変表示パターンにより示された可変表示制御時間に基づいて前記確定表示情報を受信する前の段階で求めており、前記確定表示情報を受信することにより特定される前記複数の可変表示部の表示結果の確定タイミングが前記確定予定タイミングとは異なるときに、前記複数の可変表示部における表示を前記複数の表示結果情報により特定された表示結果が確定表示された表示に差替える制御を行なう差替え制御手段を含み、さらに
前記遊技制御手段が出力した前記複数の表示結果情報を受信したか否かを確認する確認手段を備え、
前記確認手段によって、前記複数の表示結果情報のうちのいずれか１つでも未受信であることが確認されたとき、受信した表示結果情報に対応する可変表示部には該表示結果情報に対応する表示結果を表示する一方、受信しなかった表示結果情報に対応する可変表示部にはエラー報知用識別情報を表示する制御を行なうことを特徴とする、遊技機。
【請求項２】
表示状態が変化可能な複数の可変表示部を表示する可変表示装置を有し、前記複数の可変表示部を可変表示した後に該複数の可変表示部に確定表示された表示結果が予め定められた特定の表示態様になったときに、遊技者にとって有利な状態に制御可能な遊技機であって、
前記遊技機の遊技状態を制御するとともに、前記可変表示装置における表示を制御するために用いられる指令情報として、少なくとも前記複数の可変表示部の各々の表示結果を特定するための各可変表示部に対応した複数の表示結果情報と、前記複数の可変表示部の表示結果を確定表示させるタイミングを示す確定表示情報と、可変表示制御時間および可変表示パターンを示す可変表示パターン情報とを出力する遊技制御手段と、
該遊技制御手段から出力された前記指令情報を受けて前記可変表示装置を可変開始させた後表示結果を確定表示する制御を行なうとともに、前記確定表示情報を受信したことに応じて、前記複数の表示結果情報により特定された前記複数の可変表示部の表示結果を確定表示させる制御を行なう可変表示制御手段とを含み、
前記遊技制御手段は、前記可変表示装置を可変開始させるときに前記可変表示パターン情報を出力し、
前記可変表示制御手段は、
前記可変表示パターン情報により示された可変表示パターンにしたがったパターンで前記可変表示装置の表示を制御し、
前記表示結果情報により特定された表示結果を確定表示させる予定の確定予定タイミングを、前記可変表示パターンにより示された可変表示制御時間に基づいて前記確定表示情報を受信する前の段階で求めており、前記確定表示情報を受信することにより特定される前記複数の可変表示部の表示結果の確定タイミングが前記確定予定タイミングとは異なるときに、前記複数の可変表示部の表示状態を継続して可変表示させた後に前記複数の可変表示部において、前記複数の表示結果情報により特定された表示結果に対応する表示態様となったタイミングで当該表示結果を確定表示させる制御を行なう確定タイミング制御手段を含み、さらに
前記遊技制御手段が出力した前記複数の表示結果情報を受信したか否かを確認する確認手段を備え、
前記確認手段によって、前記複数の表示結果情報のうちのいずれか１つでも未受信であることが確認されたとき、受信した表示結果情報に対応する可変表示部には該表示結果情報に対応する表示結果を表示する一方、受信しなかった表示結果情報に対応する可変表示部にはエラー報知用識別情報を表示する制御を行なうことを特徴とする、遊技機。
【請求項３】
前記確定タイミング制御手段は、前記可変表示制御手段が前記確定表示情報を受けてから最初に、前記表示結果情報により特定された表示結果に対応する表示態様となったタイミングで当該表示結果を確定表示させる制御を行なうことを特徴とする、請求項２に記載の遊技機。
【請求項４】
表示状態が変化可能な複数の可変表示部を表示する可変表示装置を有し、前記複数の可変表示部を可変表示した後に該複数の可変表示部に確定表示された表示結果が予め定められた特定の表示態様になったときに、遊技者にとって有利な状態に制御可能な遊技機であって、
前記遊技機の遊技状態を制御するとともに、前記可変表示装置における表示を制御するために用いられる指令情報として、少なくとも前記複数の可変表示部の各々の表示結果を特定するための各可変表示部に対応した複数の表示結果情報と、前記複数の可変表示部の表示結果を確定表示させるタイミングを示す確定表示情報と、可変表示制御時間および可変表示パターンを示す可変表示パターン情報を出力する遊技制御手段と、
該遊技制御手段から出力された前記指令情報を受けて前記可変表示装置を可変開始させた後表示結果を確定表示する制御を行なうとともに、前記確定表示情報を受信したことに応じて、前記複数の表示結果情報により特定された前記複数の可変表示部の表示結果を確定表示させる制御を行なう可変表示制御手段とを含み、
前記遊技制御手段は、前記可変表示装置を可変開始させるときに前記可変表示パターン情報を出力し、
前記可変表示制御手段は、
前記可変表示パターン情報により示された可変表示パターンにしたがったパターンで前記可変表示装置の表示を制御し、
前記表示結果情報により特定された表示結果を確定表示させる予定の確定予定タイミングを、前記可変表示パターンにより示された可変表示制御時間に基づいて前記確定表示情報を受信する前の段階で求めており、前記確定表示情報を受信することにより特定される前記複数の可変表示部の表示結果の確定タイミングが前記確定予定タイミングとは異なるときに、前記複数の可変表示部の表示結果を前記確定表示情報を受信したタイミングにおける前記可変表示部での表示中の表示状態で即座に確定表示させる表示中態様確定表示手段と、
前記確定表示情報を受信することにより特定される前記複数の可変表示部の表示結果の確定タイミングが前記確定予定タイミングとは異なるときであって、前記複数の表示結果情報により特定された表示結果が前記特定の表示態様ではないにもかかわらず、前記表示中態様確定表示手段が確定表示させる表示結果が前記特定の表示態様となるときには、当該表示結果を前記特定の表示態様以外の表示態様に補正する補正手段とを含み、さらに
前記遊技制御手段が出力した前記複数の表示結果情報を受信したか否かを確認する確認手段を備え、
前記確認手段によって、前記複数の表示結果情報のうちのいずれか１つでも未受信であることが確認されたとき、受信した表示結果情報に対応する可変表示部には該表示結果情報に対応する表示結果を表示する一方、受信しなかった表示結果情報に対応する可変表示部にはエラー報知用識別情報を表示する制御を行なうことを特徴とする、遊技機。
【請求項５】
前記可変表示制御手段は、前記確定表示情報を受信することにより特定される前記複数の可変表示部の表示結果の確定タイミングが前記確定予定タイミングとは異なるときに、前記可変表示部における表示状態の変化速度を制御する速度制御手段を含むことを特徴とする、請求項２から４のいずれかに記載の遊技機。
【手続補正２】
【補正対象書類名】明細書
【補正対象項目名】０００６
【補正方法】変更
【補正の内容】
【０００６】
【課題を解決するための手段】
請求項１に記載の本発明は、表示状態が変化可能な複数の可変表示部を表示する可変表示装置を有し、前記複数の可変表示部を可変表示した後に該複数の可変表示部に確定表示された表示結果が予め定められた特定の表示態様になったときに、遊技者にとって有利な状態に制御可能な遊技機であって、
前記遊技機の遊技状態を制御するとともに、前記可変表示装置における表示を制御するために用いられる指令情報として、少なくとも前記複数の可変表示部の各々の表示結果を特定するための各可変表示部に対応した複数の表示結果情報と、前記複数の可変表示部の表示結果を確定表示させるタイミングを示す確定表示情報と、可変表示制御時間および可変表示パターンを示す可変表示パターン情報とを出力する遊技制御手段と、
該遊技制御手段から出力された前記指令情報を受けて前記可変表示装置を可変開始させた後表示結果を確定表示する制御を行なうとともに、前記確定表示情報を受信したことに応じて、前記複数の表示結果情報により特定された前記複数の可変表示部の表示結果を確定表示させる制御を行なう可変表示制御手段とを含み、
前記遊技制御手段は、前記可変表示装置を可変開始させるときに前記可変表示パターン情報を出力し、
前記可変表示制御手段は、
前記可変表示パターン情報により示された可変表示パターンにしたがったパターンで前記可変表示装置の表示を制御し、
前記表示結果情報により特定された表示結果を確定表示させる予定の確定予定タイミングを、前記可変表示パターンにより示された可変表示制御時間に基づいて前記確定表示情報を受信する前の段階で求めており、前記確定表示情報を受信することにより特定される前記複数の可変表示部の表示結果の確定タイミングが前記確定予定タイミングとは異なるときに、前記複数の可変表示部における表示を前記複数の表示結果情報により特定された表示結果が確定表示された表示に差替える制御を行なう差替え制御手段を含み、さらに
前記遊技制御手段が出力した前記複数の表示結果情報を受信したか否かを確認する確認手段を備え、
前記確認手段によって、前記複数の表示結果情報のうちのいずれか１つでも未受信であることが確認されたとき、受信した表示結果情報に対応する可変表示部には該表示結果情報に対応する表示結果を表示する一方、受信しなかった表示結果情報に対応する可変表示部にはエラー報知用識別情報を表示する制御を行なうことを特徴とする。


【手続補正３】
【補正対象書類名】明細書
【補正対象項目名】０００７
【補正方法】変更
【補正の内容】
【０００７】
請求項２に記載の本発明は、表示状態が変化可能な複数の可変表示部を表示する可変表示装置を有し、前記複数の可変表示部を可変表示した後に該複数の可変表示部に確定表示された表示結果が予め定められた特定の表示態様になったときに、遊技者にとって有利な状態に制御可能な遊技機であって、
前記遊技機の遊技状態を制御するとともに、前記可変表示装置における表示を制御するために用いられる指令情報として、少なくとも前記複数の可変表示部の各々の表示結果を特定するための各可変表示部に対応した複数の表示結果情報と、前記複数の可変表示部の表示結果を確定表示させるタイミングを示す確定表示情報と、可変表示制御時間および可変表示パターンを示す可変表示パターン情報とを出力する遊技制御手段と、
該遊技制御手段から出力された前記指令情報を受けて前記可変表示装置を可変開始させた後表示結果を確定表示する制御を行なうとともに、前記確定表示情報を受信したことに応じて、前記複数の表示結果情報により特定された前記複数の可変表示部の表示結果を確定表示させる制御を行なう可変表示制御手段とを含み、
前記遊技制御手段は、前記可変表示装置を可変開始させるときに前記可変表示パターン情報を出力し、
前記可変表示制御手段は、
前記可変表示パターン情報により示された可変表示パターンにしたがったパターンで前記可変表示装置の表示を制御し、
前記表示結果情報により特定された表示結果を確定表示させる予定の確定予定タイミングを、前記可変表示パターンにより示された可変表示制御時間に基づいて前記確定表示情報を受信する前の段階で求めており、前記確定表示情報を受信することにより特定される前記複数の可変表示部の表示結果の確定タイミングが前記確定予定タイミングとは異なるときに、前記複数の可変表示部の表示状態を継続して可変表示させた後に前記複数の可変表示部において、前記複数の表示結果情報により特定された表示結果に対応する表示態様となったタイミングで当該表示結果を確定表示させる制御を行なう確定タイミング制御手段を含み、さらに
前記遊技制御手段が出力した前記複数の表示結果情報を受信したか否かを確認する確認手段を備え、
前記確認手段によって、前記複数の表示結果情報のうちのいずれか１つでも未受信であることが確認されたとき、受信した表示結果情報に対応する可変表示部には該表示結果情報に対応する表示結果を表示する一方、受信しなかった表示結果情報に対応する可変表示部にはエラー報知用識別情報を表示する制御を行なうことを特徴とする。


【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】変更
【補正の内容】
【００１０】
請求項３に記載の本発明は、請求項２に記載の発明の構成に加えて、前記確定タイミング制御手段は、前記可変表示制御手段が前記確定表示情報を受けてから最初に、前記表示結果情報により特定された表示結果に対応する表示態様となったタイミングで当該表示結果を確定表示させる制御を行なうことを特徴とする。


【手続補正７】
【補正対象書類名】明細書
【補正対象項目名】００１１
【補正方法】変更
【補正の内容】
【００１１】
請求項４に記載の本発明は、表示状態が変化可能な複数の可変表示部を表示する可変表示装置を有し、前記複数の可変表示部を可変表示した後に該複数の可変表示部に確定表示された表示結果が予め定められた特定の表示態様になったときに、遊技者にとって有利な状態に制御可能な遊技機であって、
前記遊技機の遊技状態を制御するとともに、前記可変表示装置における表示を制御するために用いられる指令情報として、少なくとも前記複数の可変表示部の各々の表示結果を特定するための各可変表示部に対応した複数の表示結果情報と、前記複数の可変表示部の表示結果を確定表示させるタイミングを示す確定表示情報と、可変表示制御時間および可変表示パターンを示す可変表示パターン情報を出力する遊技制御手段と、
該遊技制御手段から出力された前記指令情報を受けて前記可変表示装置を可変開始させた後表示結果を確定表示する制御を行なうとともに、前記確定表示情報を受信したことに応じて、前記複数の表示結果情報により特定された前記複数の可変表示部の表示結果を確定表示させる制御を行なう可変表示制御手段とを含み、
前記遊技制御手段は、前記可変表示装置を可変開始させるときに前記可変表示パターン情報を出力し、
前記可変表示制御手段は、
前記可変表示パターン情報により示された可変表示パターンにしたがったパターンで前記可変表示装置の表示を制御し、
前記表示結果情報により特定された表示結果を確定表示させる予定の確定予定タイミングを、前記可変表示パターンにより示された可変表示制御時間に基づいて前記確定表示情報を受信する前の段階で求めており、前記確定表示情報を受信することにより特定される前記複数の可変表示部の表示結果の確定タイミングが前記確定予定タイミングとは異なるときに、前記複数の可変表示部の表示結果を前記確定表示情報を受信したタイミングにおける前記可変表示部での表示中の表示状態で即座に確定表示させる表示中態様確定表示手段と、
前記確定表示情報を受信することにより特定される前記複数の可変表示部の表示結果の確定タイミングが前記確定予定タイミングとは異なるときであって、前記複数の表示結果情報により特定された表示結果が前記特定の表示態様ではないにもかかわらず、前記表示中態様確定表示手段が確定表示させる表示結果が前記特定の表示態様となるときには、当該表示結果を前記特定の表示態様以外の表示態様に補正する補正手段とを含み、さらに
前記遊技制御手段が出力した前記複数の表示結果情報を受信したか否かを確認する確認手段を備え、
前記確認手段によって、前記複数の表示結果情報のうちのいずれか１つでも未受信であることが確認されたとき、受信した表示結果情報に対応する可変表示部には該表示結果情報に対応する表示結果を表示する一方、受信しなかった表示結果情報に対応する可変表示部にはエラー報知用識別情報を表示する制御を行なうことを特徴とする。


【手続補正８】
【補正対象書類名】明細書
【補正対象項目名】００１２
【補正方法】変更
【補正の内容】
【００１２】
請求項５に記載の本発明は、請求項２から４のいずれかに記載の発明の構成に加えて、前記可変表示制御手段は、前記確定表示情報を受信することにより特定される前記複数の可変表示部の表示結果の確定タイミングが前記確定予定タイミングとは異なるときに、前記可変表示部における表示状態の変化速度を制御する速度制御手段を含むことを特徴とする。


【手続補正９】
【補正対象書類名】明細書
【補正対象項目名】００１３
【補正方法】変更
【補正の内容】
【００１３】
【作用】
請求項１に記載の本発明によれば、次のように作用する。遊技制御手段の働きにより、遊技機の遊技状態が制御されるとともに、可変表示装置における表示を制御するために用いられる指令情報として、少なくとも複数の可変表示部の各々の表示結果を特定するための各可変表示部に対応した複数の表示結果情報と、複数の可変表示部の表示結果を確定表示させるタイミングを示す確定表示情報と、可変表示制御時間および可変表示パターンを示す可変表示パターン情報とが出力される。可変表示制御手段の働きにより、遊技制御手段から出力された指令情報を受けて可変表示装置を可変開始させた後表示結果を確定表示させる制御が行なわれるとともに、確定表示情報が受信されたことに応じて、複数の表示結果情報により特定された複数の可変表示部の表示結果を確定表示させる制御が行なわれる。遊技制御手段のさらなる働きにより、可変表示装置を可変開始させるときに可変表示パターン情報が出力される。可変表示制御手段のさらなる働きにより、可変表示パターン情報により示された可変表示パターンにしたがったパターンで可変表示装置の表示が制御される。可変表示制御手段に含まれる差替え制御手段の働きにより、表示結果情報により特定された表示結果を確定表示させる予定の確定予定タイミングを、可変表示パターンにより示された可変表示制御時間に基づいて確定表示情報を受信する前の段階で求めており、確定表示情報を受信することにより特定される複数の可変表示部の表示結果の確定タイミングが確定予定タイミングとは異なるときに、複数の可変表示部における表示を複数の表示結果情報により特定された表示結果が確定表示された表示に差替えられる制御が行なわれ、さらに可変表示制御手段に備えられる確認手段の働きにより、遊技制御手段が出力した複数の表示結果情報を受信したか否かが確認される。確認手段の働きにより、複数の表示結果情報のうちのいずれか１つでも未受信であることが確認されたとき、受信した表示結果情報に対応する可変表示部には表示結果情報に対応する表示結果を表示する一方、受信しなかった表示結果情報に対応する可変表示部にはエラー報知用識別情報を表示する制御が行なわれる。


【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】変更
【補正の内容】
【００１５】
請求項２に記載の本発明によれば、次のように作用する。遊技制御手段の働きにより、遊技機の遊技状態が制御されるとともに、可変表示装置における表示を制御するために用いられる指令情報として、少なくとも複数の可変表示部の各々の表示結果を特定するための各可変表示部に対応した複数の表示結果情報と、複数の可変表示部の表示結果を確定表示させるタイミングを示す確定表示情報と、可変表示制御時間および可変表示パターンを示す可変表示パターン情報とが出力される。可変表示制御手段の働きにより、遊技制御手段から出力された指令情報を受けて可変表示装置を可変開始させた後表示結果を確定表示させる制御が行なわれるとともに、確定表示情報が受信されたことに応じて、複数の表示結果情報により特定された複数の可変表示部の表示結果を確定表示させる制御が行なわれる。遊技制御手段のさらなる働きにより、可変表示装置を可変開始させるときに可変表示パターン情報が出力される。可変表示制御手段のさらなる働きにより、可変表示パターン情報により示された可変表示パターンにしたがったパターンで可変表示装置の表示が制御される。可変表示制御手段に含まれる確定タイミング制御手段の働きにより、表示結果情報により特定された表示結果を確定表示させる予定の確定予定タイミングを、可変表示パターンにより示された可変表示制御時間に基づいて確定表示情報を受信する前の段階で求めており、確定表示情報を受信することにより特定される複数の可変表示部の表示結果の確定タイミングが確定予定タイミングとは異なるときに、複数の可変表示部の表示状態を継続して可変表示させた後に複数の可変表示部において、複数の表示結果情報により特定された表示結果に対応する表示態様となったタイミングで表示結果を確定表示させる制御が行なわれ、さらに可変表示制御手段に備えられる確認手段の働きにより、遊技制御手段が出力した複数の表示結果情報を受信したか否かが確認される。確認手段の働きにより、複数の表示結果情報のうちのいずれか１つでも未受信であることが確認されたとき、受信した表示結果情報に対応する可変表示部には表示結果情報に対応する表示結果を表示する一方、受信しなかった表示結果情報に対応する可変表示部にはエラー報知用識別情報を表示する制御が行なわれる。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】変更
【補正の内容】
【００１８】
請求項３に記載の本発明によれば、請求項２に記載の発明の作用に加えて、次のように作用する。確定タイミング制御手段のさらなる働きにより、可変表示制御手段が確定表示情報を受けてから最初に、表示結果情報により特定された表示結果に対応する表示態様となったタイミングで当該表示結果を確定表示させる制御が行なわれる。
【手続補正１５】
【補正対象書類名】明細書
【補正対象項目名】００１９
【補正方法】変更
【補正の内容】
【００１９】
請求項４に記載の本発明によれば、次のように作用する。遊技制御手段の働きにより、遊技機の遊技状態が制御されるとともに、可変表示装置における表示を制御するために用いられる指令情報として、少なくとも複数の可変表示部の各々の表示結果を特定するための各可変表示部に対応した複数の表示結果情報と、複数の可変表示部の表示結果を確定表示させるタイミングを示す確定表示情報と、可変表示制御時間および可変表示パターンを示す可変表示パターン情報とが出力される。可変表示制御手段の働きにより、遊技制御手段から出力された指令情報を受けて可変表示装置を可変開始させた後表示結果を確定表示させる制御が行なわれるとともに、確定表示情報が受信されたことに応じて、複数の表示結果情報により特定された複数の可変表示部の表示結果を確定表示させる制御が行なわれる。遊技制御手段のさらなる働きにより、可変表示装置を可変開始させるときに可変表示パターン情報が出力される。可変表示制御手段のさらなる働きにより、可変表示パターン情報により示された可変表示パターンにしたがったパターンで可変表示装置の表示が制御される。可変表示制御手段に含まれる表示中態様確定表示手段の働きにより、表示結果情報により特定された表示結果を確定表示させる予定の確定予定タイミングを、可変表示パターンにより示された可変表示制御時間に基づいて確定表示情報を受信する前の段階で求めており、確定表示情報を受信することにより特定される複数の可変表示部の表示結果の確定タイミングが確定予定タイミングとは異なるときに、複数の可変表示部の表示結果を確定表示情報が受信されたタイミングにおける可変表示部での表示中の表示状態で即座に確定表示させる。可変表示制御手段に含まれる補正手段の働きにより、確定表示情報を受信することにより特定される複数の可変表示部の表示結果の確定タイミングが確定予定タイミングとは異なるときであって、複数の表示結果情報により特定された表示結果が特定の表示態様ではないにもかかわらず、表示中態様確定表示手段が確定表示させる表示結果が特定の表示態様となるときには、表示結果を特定の表示態様以外の表示態様に補正され、さらに可変表示制御手段に備えられる確認手段の働きにより、遊技制御手段が出力した複数の表示結果情報を受信したか否かが確認される。確認手段の働きにより、複数の表示結果情報のうちのいずれか１つでも未受信であることが確認されたとき、受信した表示結果情報に対応する可変表示部には表示結果情報に対応する表示結果を表示する一方、受信しなかった表示結果情報に対応する可変表示部にはエラー報知用識別情報を表示する制御が行なわれる。


【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】変更
【補正の内容】
【００２１】
請求項５に記載の本発明によれば、請求項２から４のいずれかに記載に記載の発明の作用に加えて、次のように作用する。可変表示制御手段に含まれる速度制御手段の働きにより、確定表示情報を受信することにより特定される複数の可変表示部の表示結果の確定タイミングが確定予定タイミングとは異なるときに、可変表示部における表示状態の変化速度が制御される。
【手続補正１８】
【補正対象書類名】明細書
【補正対象項目名】０３７８
【補正方法】変更
【補正の内容】
【０３７８】
（８）  図１に示されたパチンコ遊技機１により、表示状態が変化可能な可変表示装置（可変表示装置８さらに具体的には画像表示領域９）を有し、該可変表示装置の表示結果が予め定められた特定の表示態様（大当り図柄）になった場合に、遊技者にとって有利な状態（大当り状態）に制御可能な遊技機が構成されている。図２に示された基本回路５３により、前記遊技機の遊技状態を制御する手段であって、前記可変表示装置における表示を制御するための指令情報（表示制御コマンドデータ）として、少なくとも前記表示結果を特定可能な表示結果情報（左，中，右図柄確定コマンド）および前記表示結果の確定表示要求を特定可能な確定表示情報（全図柄停止コマンド）を出力することが可能な遊技制御手段が構成されている。図３に示された表示制御用ＣＰＵ１０１により、前記遊技制御手段から出力された前記指令情報を受けて前記可変表示装置を可変開始させた後表示結果を導出表示する制御を行なう手段であって、前記確定表示情報を受けたことに応じて、前記表示結果情報により特定された表示結果を導出して確定表示させる制御を行なう可変表示制御手段が構成されている。図４４のＳ８５１ａ〜Ｓ８５１ｃ、図５１のＳ８５１ａ〜Ｓ８５１ｊ、または、図５３のＳ８５１ａ〜Ｓ８５１ｚに示されるように、前記可変表示制御手段は、前記表示結果情報により特定された表示結果を確定表示させる予定の確定予定タイミング（たとえば図４５のＥ１）を前記確定表示情報を受ける前の段階で認識しており、前記確定表示情報を受信することにより特定される表示結果の確定タイミングが前記確定予定タイミングとは異なる場合（たとえば図４５のＥ２）に、前記可変開始から表示結果の確定表示までの可変表示期間を調整する制御（図４４の差替え表示制御、図５１の遅延表示制御、または、図５３の補正制御）を行なう。


【手続補正１９】
【補正対象書類名】明細書
【補正対象項目名】０３７９
【補正方法】変更
【補正の内容】
【０３７９】
（９）  図１８に示されるように、前記遊技制御手段は、さらに、可変表示パターンを特定可能（図１３参照）な可変表示パターン情報（変動開始コマンド）を前記指令情報として出力することが可能である。図４０〜図４２に示されるように、前記可変表示制御手段は、前記可変表示パターン情報により特定された可変表示パターンにしたがったパターンで前記可変表示装置の表示を制御する。


【手続補正２０】
【補正対象書類名】明細書
【補正対象項目名】０３８０
【補正方法】変更
【補正の内容】
【０３８０】
（１０）  図４４に示されたＳ８５１ａ〜Ｓ８５１ｃにより、前記可変表示制御手段に含まれ、前記確定表示情報の受信により特定される表示結果の確定タイミングに基づいて前記可変表示期間を調整する制御を行なう場合に、前記可変表示装置における表示状態を前記表示結果情報により特定された表示結果の確定表示状態に差替える制御を行なう差替え制御手段が構成されている。


【手続補正２１】
【補正対象書類名】明細書
【補正対象項目名】０３８１
【補正方法】変更
【補正の内容】
【０３８１】
（１１）  図５１に示されたＳ８５１ａ〜Ｓ８５１ｊにより、前記可変表示制御手段に含まれ、前記確定表示情報の受信により特定される表示結果の確定タイミングに基づいて前記可変表示期間を調整する制御を行なう場合に、前記可変表示装置において、前記表示結果情報により特定された表示結果に対応する表示態様となったタイミングで当該表示結果を確定表示させる制御を行なう確定タイミング制御手段が構成されている。


【手続補正２２】
【補正対象書類名】明細書
【補正対象項目名】０３８２
【補正方法】変更
【補正の内容】
【０３８２】
（１２）  図５１のＳ８５１ｅ，Ｓ８５１ｉ，Ｓ８５１ｊに示されるように、前記確定タイミング制御手段は、前記可変表示制御手段が前記確定表示情報を受けてから最初に、前記表示結果情報により特定された表示結果に対応する表示態様となったタイミングで当該表示結果を確定表示させる制御を行なう。


【手続補正２３】
【補正対象書類名】明細書
【補正対象項目名】０３８３
【補正方法】変更
【補正の内容】
【０３８３】
（１３）  図５３に示されたＳ８５１ｍ，Ｓ８５１ｎ，Ｓ８５１ｓ，Ｓ８５１ｗ，Ｓ８５１ｘ，Ｓ８５１ｚ等により、前記可変表示制御手段に含まれ、前記確定表示情報の受信により特定される表示結果の確定タイミングに基づいて前記可変表示期間を調整する制御を行なう場合に、前記確定表示情報を受信することにより特定される表示結果の確定タイミングにおける前記可変表示装置での表示中の表示態様に基づいて即座に前記可変表示装置の表示結果を確定表示させる表示中態様確定表示手段が構成されている。図５３に示されたＳ８５１ｑにより、前記可変表示制御手段に含まれ、前記表示結果情報により特定された表示結果が前記特定の表示態様ではないにもかかわらず、前記表示中態様確定表示手段が確定表示させようとした表示結果が前記特定の表示態様となる場合に、当該表示結果を前記特定の表示態様以外の表示態様に補正する補正手段が構成されている。


【手続補正２４】
【補正対象書類名】明細書
【補正対象項目名】０３８４
【補正方法】変更
【補正の内容】
【０３８４】
（１４）  図５１に示されたＳ８５１ｇ、または、図５３に示されたＳ８５１ｑ，Ｓ８５１ｕにより、前記可変表示制御手段に含まれ、前記可変表示期間を調整する制御を行なう場合に、前記可変表示装置における表示状態の変化速度を制御する速度制御手段を含むことを特徴とする、請求項２から４のいずれかに記載の遊技機。


【手続補正２５】
【補正対象書類名】明細書
【補正対象項目名】０３８５
【補正方法】変更
【補正の内容】
【０３８５】
【課題を解決するための手段の具体例の効果】
請求項１に関しては、次のような効果を得ることができる。確認手段により、遊技制御手段が出力した複数の表示結果情報を受信したか否かが確認され、複数の表示結果情報のうちのいずれか１つでも未受信であることが確認されたとき、受信した表示結果情報に対応する可変表示部には表示結果情報に対応する表示結果を表示する一方、受信しなかった表示結果情報に対応する可変表示部にはエラー報知用識別情報を表示する制御が行なわれる。可変表示制御手段では、遊技制御手段から出力された確定表示情報が受信されたことに応じて、複数の表示結果情報により特定された複数の可変表示部の表示結果を確定表示させる制御が行なわれる。したがって、可変表示制御手段が確定表示情報を受信したことにより特定される表示結果の確定タイミングが、認識している確定予定タイミングと異なる場合には、そのまま確定表示情報の受信に応じて表示結果を確定表示すると、表示結果情報により特定された表示結果を正しく確定表示させることが不可能になる場合がある。これに対し、確定表示情報を受信したことにより特定される表示結果の確定タイミングが可変表示制御手段の認識している確定予定タイミングと異なる場合に、そのまま確定表示情報の受信に応じて表示結果を確定表示させなくて済み、表示結果情報により特定された表示結果を正しく確定表示させることが可能になる。さらに、遊技制御手段側の指令と、可変表示制御手段側の制御との食違いにより生じる遊技者の遊技状態に関する誤解を極力防ぐことが可能になる。


【手続補正２６】
【補正対象書類名】明細書
【補正対象項目名】０３８６
【補正方法】変更
【補正の内容】
【０３８６】
また、可変表示制御手段により、可変表示パターン情報により示された可変表示パターンにしたがったパターンで可変表示装置の表示が制御される。このように比較的少ない指令情報にしたがって可変表示制御を行なう場合には、確定表示情報を正しく受け取れなかった場合に可変表示制御に重大な障害が生じるおそれがある。しかし、確定表示情報を正しく受け取れなかった場合であっても、表示結果情報により特定された表示結果を正しく確定表示させることができる。


【手続補正２７】
【補正対象書類名】明細書
【補正対象項目名】０３８７
【補正方法】変更
【補正の内容】
【０３８７】
さらに、差替え制御手段により、表示結果情報により特定された表示結果を確定表示させる予定の確定予定タイミングを、可変表示パターンにより示された可変表示制御時間に基づいて確定表示情報を受信する前の段階で求めており、確定表示情報を受信することにより特定される複数の可変表示部の表示結果の確定タイミングが確定予定タイミングとは異なるときに、複数の可変表示部における表示を複数の表示結果情報により特定された表示結果が確定表示された表示に差替えられる制御が行なわれるため、表示結果情報により特定された表示結果に合わせることができる。


【手続補正２８】
【補正対象書類名】明細書
【補正対象項目名】０３８８
【補正方法】変更
【補正の内容】
【０３８８】
請求項２に関しては、次のような効果を得ることができる。確認手段により、遊技制御手段が出力した複数の表示結果情報を受信したか否かが確認され、複数の表示結果情報のうちのいずれか１つでも未受信であることが確認されたとき、受信した表示結果情報に対応する可変表示部には表示結果情報に対応する表示結果を表示する一方、受信しなかった表示結果情報に対応する可変表示部にはエラー報知用識別情報を表示する制御が行なわれる。可変表示制御手段では、遊技制御手段から出力された確定表示情報が受信されたことに応じて、複数の表示結果情報により特定された複数の可変表示部の表示結果を確定表示させる制御が行なわれる。したがって、可変表示制御手段が確定表示情報を受信したことにより特定される表示結果の確定タイミングが、認識している確定予定タイミングと異なる場合には、そのまま確定表示情報の受信に応じて表示結果を確定表示すると、表示結果情報により特定された表示結果を正しく確定表示させることが不可能になる場合がある。これに対し、確定タイミング制御手段により、表示結果情報により特定された表示結果を確定表示させる予定の確定予定タイミングを、可変表示パターンにより示された可変表示制御時間に基づいて確定表示情報を受信する前の段階で求めており、確定表示情報を受信することにより特定される複数の可変表示部の表示結果の確定タイミングが確定予定タイミングとは異なるときに、複数の可変表示部の表示状態を継続して可変表示させた後に複数の可変表示部において、複数の表示結果情報により特定された表示結果に対応する表示態様となったタイミングで表示結果を確定表示させる制御が行なわれるため、そのまま確定表示情報の受信に応じて表示結果を確定表示させなくて済み、表示結果情報により特定された表示結果を正しく確定表示させることが可能になる。さらに、遊技制御手段側の指令と、可変表示制御手段側の制御との食違いにより生じる遊技者の遊技状態に関する誤解を極力防ぐことが可能になる。
また、可変表示制御手段により、可変表示パターン情報により示された可変表示パターンにしたがったパターンで可変表示装置の表示が制御される。このように比較的少ない指令情報にしたがって可変表示制御を行なう場合には、確定表示情報を正しく受け取れなかった場合に可変表示制御に重大な障害が生じるおそれがある。しかし、確定表示情報を正しく受け取れなかった場合であっても、複数の可変表示部の表示状態を継続して可変表示させた後に複数の可変表示部において、複数の表示結果情報により特定された表示結果に対応する表示態様となったタイミングで表示結果を確定表示させる制御が行なわれることにより、表示結果情報により特定された表示結果を正しく確定表示させることができる。
【手続補正２９】
【補正対象書類名】明細書
【補正対象項目名】０３８９
【補正方法】変更
【補正の内容】
【０３８９】
請求項３に関しては、請求項２に関する効果に加えて、次のような効果を得ることができる。表示結果情報により特定された表示結果に対応する表示態様となったタイミングで当該表示結果を確定表示させる場合において、可変表示制御手段が確定表示情報を受けてから最初に、表示結果情報により特定された表示結果に対応する表示態様となったタイミングで当該表示結果が確定表示される。このため、複数の可変表示部の表示状態を継続して可変表示させた後に複数の可変表示部において、複数の表示結果情報により特定された表示結果に対応する表示態様となったタイミングで表示結果を確定表示させる制御が行なわれる表示結果の確定タイミングと、確定表示情報を受信したことにより特定される表示結果の確定タイミングと、の時間差を少なくすることができる。


【手続補正３０】
【補正対象書類名】明細書
【補正対象項目名】０３９０
【補正方法】変更
【補正の内容】
【０３９０】
請求項４に関しては、次のような効果を得ることができる。確認手段により、遊技制御手段が出力した複数の表示結果情報を受信したか否かが確認され、複数の表示結果情報のうちのいずれか１つでも未受信であることが確認されたとき、受信した表示結果情報に対応する可変表示部には表示結果情報に対応する表示結果を表示する一方、受信しなかった表示結果情報に対応する可変表示部にはエラー報知用識別情報を表示する制御が行なわれる。可変表示制御手段では、遊技制御手段から出力された確定表示情報が受信されたことに応じて、複数の表示結果情報により特定された複数の可変表示部の表示結果を確定表示させる制御が行なわれる。したがって、可変表示制御手段が確定表示情報を受信したことにより特定される表示結果の確定タイミングが、認識している確定予定タイミングと異なる場合には、そのまま確定表示情報の受信に応じて表示結果を確定表示すると、表示結果情報により特定された表示結果を正しく確定表示させることが不可能になる場合がある。これに対し、可変表示制御手段に含まれる表示中態様確定表示手段の働きにより、表示結果情報により特定された表示結果を確定表示させる予定の確定予定タイミングを、可変表示パターンにより示された可変表示制御時間に基づいて確定表示情報を受信する前の段階で求めており、確定表示情報を受信することにより特定される複数の可変表示部の表示結果の確定タイミングが確定予定タイミングとは異なるときに、複数の可変表示部の表示結果を確定表示情報が受信されたタイミングにおける可変表示部での表示中の表示状態で即座に確定表示させる。可変表示制御手段に含まれる補正手段の働きにより、確定表示情報を受信することにより特定される複数の可変表示部の表示結果の確定タイミングが確定予定タイミングとは異なるときであって、複数の表示結果情報により特定された表示結果が特定の表示態様ではないにもかかわらず、表示中態様確定表示手段が確定表示させる表示結果が特定の表示態様となるときには、表示結果を特定の表示態様以外の表示態様に補正される。このため、表示結果情報により特定された表示結果が特定の表示態様ではないにもかかわらず、表示中態様確定表示手段が確定表示させようとした表示結果が特定の表示態様となる場合に、当該表示結果が特定の表示態様以外の表示態様に補正されるため、表示中態様確定表示手段が確定表示させる表示結果の表示態様を、表示結果情報により特定された表示結果が特定の表示態様であるか否かに合わせることができる。さらに、遊技制御手段側の指令と、可変表示制御手段側の制御との食違いにより生じる遊技者の遊技状態に関する誤解を極力防ぐことが可能になる。
また、可変表示制御手段により、可変表示パターン情報により示された可変表示パターンにしたがったパターンで可変表示装置の表示が制御される。このように比較的少ない指令情報にしたがって可変表示制御を行なう場合には、確定表示情報を正しく受け取れなかった場合に可変表示制御に重大な障害が生じるおそれがある。しかし、確定表示情報を正しく受け取れなかった場合であっても、表示結果情報により特定された表示結果を正しく確定表示させることができる。
【手続補正３１】
【補正対象書類名】明細書
【補正対象項目名】０３９１
【補正方法】変更
【補正の内容】
【０３９１】
請求項５に関しては、請求項２から４のいずれかに関する効果に加えて、次のような効果を得ることができる。可変表示期間を調整する制御を行なう場合に、確定表示情報を受信することにより特定される複数の可変表示部の表示結果の確定タイミングが確定予定タイミングとは異なるときに、可変表示部における表示状態の変化速度が制御されるため、可変表示期間を調整する場合に確定表示される表示結果を表示結果情報により特定された表示結果に合わせる場合に、確定表示情報を受信したことにより特定される表示結果の確定タイミングに対する可変表示期間の調整による表示結果の確定タイミングの時間差を少なくすることが可能になる。